(57)【特許請求の範囲】
【請求項１】
直接的なユーザの要求に応じてリモートサービスを提供するサーバ・ユニットの１つを使用する作業のためのプロキシを使ったユーザ登録方法であって、以下からなるもの：
ａ）  バンキング及び金融ユーザ・カード・サービス端末（ＵＣＳＴ）の１つによりプロキシに要求を行うこと。これにはユーザ・カードを挿入してカードの個人識別番号（ＰＩＮ）を入力すること、及びアクセス可能なリモート・サーバ・ユニットの番号から必要なサービスを選択することを含む。
ｂ）  ユーザ・カード・サービス端末（ＵＣＳＴ）により前記カードのＰＩＮを確認し、銀行の処理センタへの要求を生成すること。
ｃ）  前記銀行の処理センタにより、そのカードが所定の支払いシステムに属するものかどうかを決定し、バンクカードの発行者を識別し、選択されたサービスの種別及びユーザの銀行口座から引き落とされる登録料金を記録すること。
ｄ）  前記銀行の処理センタにより、上記要求を銀行の発行済みカード・データベース・サーバ（ＢＩＣＤ）へ送ること。この銀行の発行済みカード・データベース・サーバ（ＢＩＣＤ）は、ユーザの口座の利用可能性及びステータスの検証を実行し、登録料金を引き落とし、個々のサーバ・ユニットにおける登録に必要であればユーザに関する追加の詳細事項を提供する。
ｅ）  銀行の処理センタにより、個々のサーバ・ユニットへのユーザの登録に必要なデータをユーザ登録コントロール・バンク・サーバ（ＵＲ）へ送信すること。
ｆ）  ユーザ登録コントロール・バンク・サーバ（ＵＲ）により、登録拒否のデータの不在について検証し、上記データがなければ、ユーザにより選択されている個々のサーバ・ユニットの登録済みユーザの個々のデータベースへ送信される少なくとも１つのコード・シンボル・セットを生成すること。
ｇ）  ユーザ登録コントロール・バンク・サーバ（ＵＲ）により、個々のサーバ・ユニットでのユーザ識別のため、前記コード・シンボル・セットを銀行の処理センタを介して個々のバンキングまたは金融ユーザ・カード・サービス端末（ＵＣＳＴ）へ送信すること。登録済みユーザの個々のデータベース・サーバへの登録を拒否する理由が存在する場合は、ユーザ登録コントロール・バンク・サーバ（ＵＲ）により、銀行の処理センタを介して個々のバンキングまたは金融ユーザ・カード・サービス端末（ＵＣＳＴ）へユーザの登録拒否を送信すること。
【請求項２】
登録拒否のデータが不在の場合、少なくとも１つのコード・シンボル・セットがユーザ登録コントロール・バンク・サーバ（ＵＲ）により銀行の処理センタを介して個々のバンキングまたは金融ユーザ・カード・サービス端末（ＵＣＳＴ）へ送信され、ユーザ向け又は個々のサーバ・ユニットでのユーザ識別のため、前記コード・シンボル・セットがモニタ上へ表示されるか、用紙（請求書または領収書）に印刷されるようにしている請求項１記載の方法。
【発明の詳細な説明】
【技術分野】
【０００１】
本発明は、商業的アプリケーションにおいて使用されるデジタル・データ処理に関し、特には、サーバ・ユニットの１つを使用しての後の作業のためのプロキシを使ったユーザ登録方法に関する。
【背景技術】
【０００２】
技術的特性や達成される結果の観点から最も近い先行技術として、ウェブ・ページ上にURL: http://www.alfabank-express.ru/remoteaccess/ibank/で開示されているサーバ・ユニットの１つを使用しての後の作業のためのプロキシを使ったユーザ登録方法がある。この方法によると、ユーザは、登録を得るために直接銀行へ問合せを行う。銀行員は、その銀行の支店において即座に上記ユーザをその文書及び銀行口座によって識別し、上記ユーザを登録する。即ち、上記ユーザの個人情報を銀行の処理センタへ入力し、少なくとも１つのコード・シンボル・セットをユーザに与える。なお、このコード・シンボル・セットは少なくとも１つのサーバ・ユニットへも送られる。さらにユーザは、要求したサービスを得るために、上記コード・シンボル・セットを使用して上述の端末を介してサーバ・ユニットの１つへのアドレス指定を行う。他の実施形態によれば、銀行員はユーザに３つのコード・シンボル・セット、即ちログイン、パスワード及びセッションキーを与える。ログインは、ユーザによる対応するサーバ・ユニットへのアクセスの普遍的な識別手段である。パスワードは封をした封筒に入れて発行されるが、そのパスワードは、後日、ユーザにより、関連のサーバ・ユニットを使用しての後の作業の過程において変更可能である。セッションキーは、銀行業務において使用される１回限りのパスワードである。
【０００３】
このサーバ・ユニットを使用しての後の作業のためのプロキシを使ったユーザ登録方法における主な欠点は、ユーザが銀行を訪れる必要があることからユーザの即時登録または再登録での使用が不可能であり、よって、多数のサーバ・ユニットのうちの１つとの遠隔作業におけるセキュリティ・レベルを上げるために、銀行員はユーザ登録や後の再登録を行うのに多大な時間と労力を浪費することにある。
【発明の開示】
【発明が解決しようとする課題】
【０００４】
本発明の目的は、リモートバンキング端末や金融ユーザ・カード・サービス端末でのユーザの即時登録または再登録により、遠く離れた所でもユーザ登録を受けることができ、登録のために投入される時間及び労力の節約を可能とすると共に、その手続きを電子形式及びリアルタイム・モードで完了することを可能とする効果的なユーザ登録方法を提供することにある。これにより、保護レベルが向上すると同時に、多数のサーバ・ユニットのうちの１つとの遠隔作業のためのユーザの即時再登録が可能となる。
【０００５】
サーバ・ユニットの１つを使用しての後の作業のためのプロキシを使った本発明のユーザ登録方法によれば、上記課題は、銀行の処理センタを介するユーザ登録コントロール・バンク・サーバ（ＵＲ）と対応するリモートバンキング端末または金融ユーザ・カード・サービス端末（ＵＣＳＴ）との接続、銀行の発行カード・データベース・サーバと銀行の処理センタとの接続、銀行の発行カード・データベース・サーバと少なくとも１つのサーバ・ユニットとの接続におけるプロキシへの保護された接続を提供することによって解決され、登録後、ユーザは少なくとも１つのコード・シンボル・セットを受け取り、当該セットは、ユーザがそのサーバ・ユニットをアドレス指定する場合の追加的なユーザ識別のため、上記サーバ・ユニットの少なくとも１つへも送信される。その際、カードの詳細情報は、上記銀行の発行済みカード・データベース・サーバ（ＢＩＣＤ）での追加的な照合のため、関連のリモートバンキング端末または金融ユーザ・カード・サービス端末（ＵＣＳＴ）において入力され、ユーザはこのリモートバンキング端末または金融ユーザ・カード・サービス端末（ＵＣＳＴ）によって登録されると共に少なくとも１つのコード・シンボル・セットの発行を受ける。また、ユーザ登録コントロール・バンク・サーバ（ＵＲ）は、ユーザ登録の詳細情報を対応するサーバ・ユニットへ即時に送信する。加えて、別の銀行が発行したカードを有するユーザの登録を保証するため、そのカードを発行した銀行の発行済みカード・データベース・サーバ（ＢＩＣＤ）において上記カードの詳細情報の照合が実行される。
【０００６】
ユーザ・カードの詳細情報は、銀行の発行カード・データベース・サーバ（ＢＩＣＤ）での追加的な照合のため、ユーザ登録及び少なくとも１つのコード・シンボル・セットの発行を行うリモートバンキング端末または金融ユーザ・カード・サービス端末（ＵＣＳＴ）に入力され、一方でユーザ登録コントロール・バンク・サーバ（ＵＲ）はユーザ登録の詳細を対応するサーバ・ユニットへ即時に送信し、前記ユーザ登録及び少なくとも１つのコード・シンボル・セットの発行によって、バンキング端末または金融ユーザ・カード・サービス端末（ＵＣＳＴ）におけるリアルタイム・モードと保護された通信回線を介しての電子形式での自動的且つ即時的なユーザ登録とその識別が保証される。これは、ユーザ登録に費やされる時間及び労力投入の低減を可能にする。加えて、これはユーザの即時再登録を提供し、幾つかのサーバ・ユニットのうちの１つを使用しての遠隔作業における保護レベルを向上させる。
【０００７】
別のバンクカード発行者によって発行されたカードを所有するユーザの登録であって、そのカードの詳細情報がそのカードを発行した銀行における銀行の発行済みカード・データベース・サーバ（ＢＩＣＤ）での証明を受けたものについては、ユーザの登録に際して、国際的支払いシステムのカードを含む様々なバンクカード発行者が発行した種々のカードを利用することが可能である。
【０００８】
上記記述は、本発明の特徴全体とそれにより達成される技術的結果との因果関係の存在を追認するものである。
【０００９】
上記特徴全体は、リアルタイム・モードで完全な電子的かつ自動的登録を可能にすることで、最も近い先行技術による解決策よりもリモートバンキング端末または金融ユーザ・カード・サービス端末（ＵＣＳＴ）における即時的なユーザ登録を保証する。これはまた、登録に費やされる時間及び労力の低減をもたらし、即時的なユーザ再登録を提供して、サーバ・ユニットの１つを使用する遠隔作業の間のセキュリティを向上させる。加えて、このような登録中に、ユーザの口座の利用可能性及びステータスが確認される。
【００１０】
創作者は、サーバ・ユニットの１つを使用しての後の作業のためのプロキシを使った本ユーザ登録方法を特徴とする本発明の特徴全体は新規であって先行技術から自明的にもたらされるものではなく、よって、開示した発明は「新規性」及び「進歩性」の基準を満たすものであることを確信する。
【発明を実施するための最良の形態】
【００１１】
以下、図１における略ブロック図を参照して本発明を開示する。
【００１２】
本発明におけるサーバ・ユニットの１つを使用しての後の作業のためのプロキシを使ったユーザ登録方法は、下記のように実装することができる。
【００１３】
ユーザは、銀行の処理センタを介しての保護されたリンクを有するリモートバンキング端末または金融ユーザ・カード・サービス端末（ＵＣＳＴ）を介してプロキシへ要求を送り、サーバ・ユニットの１つを使用しての後の作業のために必要なサービスを選択する。この場合、カードの詳細情報は上記端末へ入力され、上記カードが同じ銀行により発行されたものである場合、上記ユーザ・カード・サービス端末（ＵＣＳＴ）は銀行の発行済みカード・データベース・サーバ（ＢＩＣＤ）での発行済みカードの確認を求める要求を生成すると共に銀行の処理センタを介して上記要求を送信する。要求の検証に際しては、ユーザ登録コントロール・バンク・サーバ（ＵＲ）が少なくとも１つのコード・シンボル・セットをユーザ宛に、銀行の処理センタを介して対応するバンキング端末または金融ユーザ・カード・サービス端末（ＵＣＳＴ）へ送る。このコード・シンボル・セットは少なくとも１つのサーバ・ユニットへ、ユーザが上記サーバ・ユニットの１つへコンタクトした場合の後のユーザ識別に備えて送信される。
【００１４】
銀行の処理センタが、そのカードは別のバンクカード発行者によって発行されていることを確認した場合、カードの詳細情報の検証は、対応するカード発行銀行の発行済みカード・データベース・サーバ（ＢＩＣＤ）で実行される。国際支払いシステムのカードの場合も同様である。
【００１５】
登録の間に、取得されたコード・シンボル・セットの無断使用を疑う理由が存在する場合には、ユーザの即時再登録を行うこともできる。
【００１６】
図１に示すような本発明によるシステムの最良の実施形態は、適切な銀行設備としてのプロキシ１と、幾つかのサーバ・ユニット２．１乃至２．Ｎとを含む。プロキシ１は、幾つかの個々のバンキング端末または金融ユーザ・カード・サービス端末（ＵＣＳＴ）３．１乃至３．Ｎを含み、これらは銀行の処理センタ４を介する保護された通信リンクによってユーザ登録コントロール・バンク・サーバ（ＵＲ）及び銀行の発行済みカード・データベース・サーバ（ＢＩＣＤ）と接続されている。幾つかのサーバ・ユニット２．１乃至２．Ｎの各々は登録されたユーザ・データベースの個々のサーバ７．１乃至７．Ｎを含み、これらは固有のリモート・ユーザ・サービス（ＲＵＳ）システム８．１乃至８．Ｎ、例えばインターネット・バンキング、ＧＳＭバンキング、インターネットやモバイル通信などを使用したシステムなどを有する。ユーザ９はユーザ自身の有する端末１０や別の端末を使用して、選択したサーバ・ユニット２．１乃至２．Ｎのうちの１つへ、対応するリモート・ユーザ・サービス（ＲＵＳ）８．１乃至８．Ｎを介して接触する。例えばビザ、マスターカードである国際的支払いシステムを含む個々のバンクカード発行者の幾つかの銀行の発行済みカード・データベース・サーバ（ＢＩＣＤ）１１．１乃至１１．Ｎは、銀行の処理センタ４へ接続される。バンキング端末及び金融ユーザ・カード・サービス端末（ＵＣＳＴ）３．１乃至３．Ｎは、国際的支払いシステムのカードを含むプラスチック・カード取引をサポートする能力のある任意の端末である。３．１乃至３．Ｎ端末は、現金自動預払機（ＡＴＭ）、ＰＯＳ端末といった形式とすることができる。銀行の処理センタ４は、銀行設備にカード取引データベースを提供するように意図されたソフトウェア／ハードウェアのコンビネーションである。ユーザ登録コントロール・バンク・サーバ（ＵＲ）５は、利用可能なサーバ・ユニット２．１乃至２．Ｎのサービスのユーザの自動登録を保証するアルゴリズムまたはパラメータ・セットに従うソフトウェア／ハードウェアのコンビネーションであり、上記サービスは、登録済みユーザの個々のデータベースを有する請求システムまたは対応するリモート・サービス・システムを表す。
【００１７】
サーバ・ユニットの１つを使用しての後の作業のためのプロキシを使った本ユーザ登録方法が実装されるシステムは、下記のように動作する。
【００１８】
ユーザ９は銀行のプロキシ１へ、具体的にはバンキング、金融ユーザ・カード・サービス端末（ＵＣＳＴ）３．１乃至３．Ｎの番号のうちの（個々の）１つへ要求を行い、これへカードを挿入してカードの個人識別番号（ＰＩＮ）を入力する。ユーザは、アクセス可能なリモート・サーバ・ユニット２．１乃至２．Ｎの番号から必要なサービスを選択する。ユーザ・カード・サービス端末（ＵＣＳＴ）３．１乃至３．Ｎの番号からの対応するユーザ・カード・サービス端末（ＵＣＳＴ）がカードのＰＩＮを確認して銀行の処理センタ４への要求を生成し、銀行の処理センタ４は、そのカードが所定の支払いシステムに属するものかどうかを決定する。また銀行の処理センタ４はバンクカードの発行者も識別し、ユーザ９が後に入手を希望するサービスの種別及びユーザ９の銀行口座から引き落とされる登録料金が記録される。
【００１９】
ここで、上記カードが同じ銀行によって、即ちプロキシ１によって、かつ番号３．１乃至３．Ｎのうちの個々のユーザ・カード・サービス端末（ＵＣＳＴ）が属するプロキシ１によって発行されていれば、銀行の処理センタ４は上記要求を銀行の発行済みカード・データベース・サーバ（ＢＩＣＤ）６へ送る。この銀行の発行済みカード・データベース・サーバ（ＢＩＣＤ）６は、ユーザ９の口座の利用可能性及びステータスの検証を実行し、登録料金を引き落とし、個々のサーバ・ユニット２．１乃至２．Ｎにおける登録に必要であればユーザ９に関する追加の詳細事項を提供する。銀行の処理センタ４も、個々のサーバ・ユニット２．１乃至２．Ｎへのユーザ９の登録に必要な詳細事項をユーザ登録コントロール・バンク・サーバ（ＵＲ）５へ送信する。ユーザ登録コントロール・バンク・サーバ（ＵＲ）５は、登録拒否のデータの不在について検証し、上記データがなければ第１（ログイン）及び第２（パスワード）のコード・シンボル・セットを生成する。これらは、ユーザ９により選択されている番号２．１乃至２．Ｎからの個々のサーバ・ユニットの登録済みユーザの個々のデータベース・サーバ７．１乃至７．Ｎへ送信される。またこれらは、銀行の処理センタ４を介して番号３．１乃至３．Ｎからの個々のバンキングまたは金融ユーザ・カード・サービス端末（ＵＣＳＴ）へも送信され、ユーザ９向けにモニタ上へ表示されるか、用紙（請求書／領収書）に印刷される。
【００２０】
番号７．１乃至７．Ｎからの登録済みユーザの個々のデータベース・サーバへの登録を拒否する理由が存在する場合、ユーザ登録コントロール・バンク・サーバ（ＵＲ）５は、銀行の処理センタ４を介して個々のバンキングまたは金融ユーザ・カード・サービス端末（ＵＣＳＴ）３．１乃至３．Ｎへユーザ９の登録拒否を送信する。
【００２１】
銀行の処理センタ４が、そのカードは別のバンクカード発行者または支払いシステムに属するものであると決定した場合、銀行の処理センタ４は、バンキングまたは金融ユーザ・カード・サービス端末（ＵＣＳＴ）３．１乃至３．Ｎの要求を、国際的支払いシステムのカードを含む発行された個々のバンクカードの番号１１．１乃至１１．Ｎからの個々の銀行の発行済みカード・データベース・サーバ（ＢＩＣＤ）へ送信する。この銀行の発行済みカード・データベース・サーバ（ＢＩＣＤ）はユーザ９の口座の利用可能性及びステータスを検証し、登録料金が引き落とされ、個々のサーバ・ユニット２．１乃至２．Ｎへのユーザ９の登録に必要であれば追加データが入手される。銀行の処理センタ４は次にこれらのデータをユーザ登録コントロール・バンク・サーバ（ＵＲ）５へ送り、上記サーバは第１及び第２のコード・シンボル・セットを生成し、これを登録済みユーザの個々のデータベース・サーバ７．１乃至７．Ｎへ、且つ先に述べた同じ方法で銀行の処理センタ４を介して番号３．１乃至３．Ｎから個々のバンキングまたは金融ユーザ・カード・サービス端末（ＵＣＳＴ）へ送る。
【００２２】
登録が完了すると、ユーザ９は、サーバ・ユニット２．１乃至２．Ｎの登録済みユーザの個々データベース・サーバ７．１乃至７．Ｎの個々のリモート・ユーザ・サービス（ＲＵＳ）システム８．１乃至８．Ｎにユーザ自身の有する端末（パーソナル・コンピュータや携帯電話といった端末機）によって接続し、要求したサービスを受信する。
【００２３】
本発明が発明基準「産業上の利用可能性」を有していることは、開示したサーバ・ユニットの１つを使用しての後の作業のためのプロキシを使った本ユーザ登録方法によって追認される。
【図面の簡単な説明】
【００２４】
【図１】本発明の幾つかのサーバ・ユニットの１つを使用しての後の作業のためのプロキシを使ったユーザ登録方法を表す略ブロック図である。
【図１】
0004858841.tif 000002